(57)【特許請求の範囲】
【請求項１】
透明な硬質合成樹脂により成型され、上部に開口部１を開口し、一方側に経大な湾曲壁板２を、また他方側に径小な湾曲壁板３をそれぞれ備え、且つ前記両湾曲壁板２・３と前・後壁板４・５とを連結して横長の略楕円形状の容器本体６を形成し、且つ該容器本体６の両側において、前記前・後壁板４・５の各対向する内側壁面に区画板７・８をそれぞれ取外し可能に取付けて、該区画板７・８に区画された中央部を粒状調味料９の補充用収納室１０とすると共に、一方側の区画板７と径大な湾曲壁板２とにより区画された下方部に、大さじ１杯分の粒状調味料９を収納する大さじ分計量室１１を設け、且つ該大さじ分計量室１１の上方に大さじ分の粒状調味料９を排出する排出路１２を連通し、更に前記他方側の区画板８と径小な湾曲壁板３とにより区画された下方部に、小さじ１杯分の粒状調味料９を収納する小さじ分計量室１３を設け、且つ該小さじ分計量室１３の上方に小さじ分の粒状調味料９を排出する排出路１４を連通して形成し、前記大さじ分計量室１１と小さじ分計量室１３の下端には、該径大な湾曲壁板２と径小な湾曲壁板３に接して底板１５・１６がそれぞれ形成されると共に、前記中央部の補充用収納室１０の底部には、中央部分が上方側へ緩やかに湾曲して湾曲部１７に形成され、且つ該湾曲部１７の両側端部１８ａ・１８ｂに、前記各計量室１１・１３の各底板１５・１６の内側端縁に連結する傾斜角度の大きな傾斜部１９・２０を連設して補充用収納室底板２１が形成され、
更に、前記各区画板７・８は、その下端縁７ａ・８ａを前記湾曲部１７の両側端部１８ａ・１８ｂよりやや下方位置に臨ませて、前記各区画板７・８の下端縁７ａ・８ａと前記傾斜部１９・２０間に、それぞれ隙間２２・２３を有して配設できるよう、容器本体６の前・後壁板４・５の各対向内側壁面に、前記各区画板７・８の両側端縁を嵌挿して上下方向にスライドさせるガイド溝２４・２５を、前記湾曲部１７の両側端部１８ａ・１８ｂと略同一位置までそれぞれ凹設して形成する一方、前記各区画板７・８の下方部は、その巾を狭くした細巾片７ｂ・８ｂに形成され、且つ該各細巾片７ｂ・８ｂ上の両側に段部７ｃ・８ｃを備えると共に、前記各ガイド溝２４・２５の下端部に、前記各区画板７・８の段部７ｃ・８ｃが当接して、該各区画板７・８の下方移動を阻止する当接面２４ａ・２５ａを備え、更に前記容器本体６の上部の開口部１の外周縁部には、断面逆凹状をしたキャップ２６が取外し自在に被冠固定されると共に、前記キャップ２６には、前記大さじ分計量室１１または小さじ分計量室１３に収納された粒状調味料９を排出する排出手段２８を設置したことを特徴とする計量装置付き粒状調味料容器。
【発明の詳細な説明】
【技術分野】
【０００１】
本発明は、家庭において料理をする場合、例えば、小さじ分、および大さじ分の２つの分量の粒状調味料を、容器の両側に設けられた小さじ分、および大さじ分の２つの計量室内に自動的に仕分けしておき、目的に応じて、前記小さじ分、または大さじ分のいずれか一方の分量の粒状調味料を、容器を傾斜して料理品中に振り掛けて添加混入して使用した後、該容器を調理台等の台板上に起立して静置すると、直ちに自動的に補充用収納室に収納された粒状調味料が、前記使用されて空となった計量室内に落下して決められた分量の粒状調味料が補充される計量装置付き粉状調味料容器に関するものである。
【背景技術】
【０００２】
従来、家庭において料理をする場合、粒状調味料を所定量使用するに当って、いちいち小さじ、あるいは大さじを用いて計量して料理に使用していた。一方、予め所定量の粒状調味料を計量室中に収納しておき、該収納容器中の所定量の粒状調味料を使用した後、容器を起立させて台板上に静置すると、自動的に前記空になった計量室中に所定量の調味料が補充されるという技術思想につき、過去の特許文献を遡及検索したところ、下記の特許文献に記載された計量容器が開示されている。
【先行技術文献】
【特許文献】
【０００３】
【特許文献１】特開２００３−１１２７５７号公報
【発明の開示】
【発明が解決しようとする課題】
【０００４】
前記従来料理中に、いちいち所定量の粒状調味料を小さじあるいは大さじで計量して使用する方法は非常に面倒で手間がかかり、極めて不便であるという課題があった。また、前記特許文献１記載の発明では、予め所定量の粒状調味料が計量室に収納され、その使用後は同量の粒状調味料が自動的に計量室に追加補充されるので、従来のように小さじや大さじを使用して計量する手間が省けて便利であるが、一つの分量の粒状調味料しか使用できないので、例えば、小さじ分を使用した後、大さじ分の粒状調味料を使用する場合、極めて不便であるという課題があった。
【０００５】
本発明は、前記課題を解決すべくなされたものであって、料理中、所定量の粒状調味料を、小さじ、あるいは大さじでいちいち計量して使用することなく、予め小さじ分および大さじ分の分量の粒状調味料を２つの計量室内に収納しておき、料理中において小さじ分または大さじ分の粒状調味料を、目的に応じて、前記小さじ分、または大さじ分のいずれか一方の分量の粒状調味料を、容器を傾斜して料理品中に振り掛けて添加混入して使用した後、前記容器を台所等の台板上に起立して静置すると、補充用の粒状調味料が収納されている補充用収納室から、前記使用して空になった計量室内に、使用されたものと同量の粒状調味料が自動的に落下して補充され、直ちに、小さじ分または大さじ分の粒状調味料を使用することができ、従来のように手作業でいちいち計量する手間が省け、料理も迅速にできる計量装置付き粉状調味料容器を提供しようとするものである。
【課題を解決するための手段】
【０００６】
本発明は、透明な硬質合成樹脂により成型され、上部に開口部１を開口し、一方側に経大な湾曲壁板２を、また他方側に径小な湾曲壁板３をそれぞれ備え、且つ前記両湾曲壁板２・３と前・後壁板４・５とを連結して横長の略楕円形状の容器本体６を形成し、且つ該容器本体６の両側において、前記前・後壁板４・５の各対向する内側壁面に区画板７・８をそれぞれ取外し可能に取付けて、該区画板７・８に区画された中央部を粒状調味料９の補充用収納室１０とすると共に、一方側の区画板７と径大な湾曲壁板２とにより区画された下方部に、大さじ１杯分の粒状調味料９を収納する大さじ分計量室１１を設け、且つ該大さじ分計量室１１の上方に大さじ分の粒状調味料９を排出する排出路１２を連通し、更に前記他方側の区画板８と径小な湾曲壁板３とにより区画された下方部に、小さじ１杯分の粒状調味料９を収納する小さじ分計量室１３を設け、且つ該小さじ分計量室１３の上方に小さじ分の粒状調味料９を排出する排出路１４を連通して形成し、前記大さじ分計量室１１と小さじ分計量室１３の下端には、該径大な湾曲壁板２と径小な湾曲壁板３に接して底板１５・１６がそれぞれ形成されると共に、前記中央部の補充用収納室１０の底部には、中央部分が上方側へ緩やかに湾曲して湾曲部１７に形成され、且つ該湾曲部１７の両側端部１８ａ・１８ｂに、前記各計量室１１・１３の各底板１５・１６の内側端縁に連結する傾斜角度の大きな傾斜部１９・２０を連設して補充用収納室底板２１が形成され、
更に、前記各区画板７・８は、その下端縁７ａ・８ａを前記湾曲部１７の両側端部１８ａ・１８ｂよりやや下方位置に臨ませて、前記各区画板７・８の下端縁７ａ・８ａと前記傾斜部１９・２０間に、それぞれ隙間２２・２３を有して配設できるよう、容器本体６の前・後壁板４・５の各対向内側壁面に、前記各区画板７・８の両側端縁を嵌挿して上下方向にスライドさせるガイド溝２４・２５を、前記湾曲部１７の両側端部１８ａ・１８ｂと略同一位置までそれぞれ凹設して形成する一方、前記各区画板７・８の下方部は、その巾を狭くした細巾片７ｂ・８ｂに形成され、且つ該各細巾片７ｂ・８ｂ上の両側に段部７ｃ・８ｃを備えると共に、前記各ガイド溝２４・２５の下端部に、前記各区画板７・８の段部７ｃ・８ｃが当接して、該各区画板７・８の下方移動を阻止する当接面２４ａ・２５ａを備え、更に前記容器本体６の上部の開口部１の外周縁部には、断面逆凹状をしたキャップ２６が取外し自在に被冠固定されると共に、前記キャップ２６には、前記大さじ分計量室１１または小さじ分計量室１３に収納された粒状調味料９を排出する排出手段２８を設置するという手段を採用することにより、上記課題を解決した。
【発明の効果】
【０００７】
上記構成より成る本発明によれば、料理中、所定量の粒状調味料を、小さじ、あるいは大さじでいちいち計量して使用することなく、小さじ分および大さじ分の分量の粒状調味料を、予め大さじ分計量室と小さじ分計量室の２つの計量室内にそれぞれ収納しておき、料理中において必要になった小さじ分または大さじ分の粒状調味料のいずれかを選択して、容器本体を傾斜して料理品中に振り掛けて添加混入して使用した後、前記容器本体を台所等の台板上に起立して静置すると、補充用の粒状調味料が収納されている補充用収納室から、前記使用して空になった計量室内に、前記使用されたものと同量の粒状調味料が自動的に落下して補充され、再び小さじ分または大さじ分の粒状調味料のいずれかを使用することができる。すなわち、本発明計量装置付き粒状調味料容器によれば、大さじ分計量室と小さじ分計量室の２つの計量室を備えているので、料理中において必要とする量の粒状調味料を、迅速、且つ簡単に料理品中に振り掛けて添加混入することができるという優れた効果を奏することができるのである。
【図面の簡単な説明】
【０００８】
【図１】本発明計量装置付き粒状調味料容器の縦断面図である。
【図２】図１のＡ−Ａ線縦断面図である。
【図３】本発明計量装置付き粒状調味料容器の組立分解正面図で、容器本体を縦断面すると共に、各区画板は９０度回転させた図を合せ図示している。
【図４】本発明計量装置付き粒状調味料容器において、補充用収納室に粒状調味料を補充し、大さじ分計量室と小さじ分計量室に前記補充用収納室から粒状調味料が落下して、該大さじ分計量室と小さじ分計量室に大さじ分と小さじ分の粒状調味料が収納された状態を示す縦断面図である。
【図５】本発明計量装置付き粒状調味料容器において、大さじ分計量室から大さじ分の粒状調味料を料理品中に振り掛けて添加混入する状態を示す縦断面図である。
【図６】本発明計量装置付き粒状調味料容器において、小さじ分計量室から小さじ分の粒状調味料を料理品中に振り掛けて添加混入する状態を示す縦断面図である。
【実施例】
【０００９】
本発明の実施例を図面に基づいて詳細に説明する。本発明は、透明なアクリル樹脂等の硬質合成樹脂により成型され、上部に開口部１を開口し、一方側に経大な湾曲壁板２を、また他方側に径小な湾曲壁板３をそれぞれ備え、且つ前記両湾曲壁板２・３を、平板状の前・後壁板４・５とで連結して横長の略楕円形状の容器本体６を形成し、且つ該容器本体６の両側において、前記前・後壁板４・５の各対向する内側壁面に区画板７・８をそれぞれ取外し可能に取付けて、該区画板７・８に区画された中央部を粒状調味料９の補充用収納室１０とすると共に、一方側の区画板７と径大な湾曲壁板２とにより区画された下方部に、大さじ１杯分の粒状調味料９を収納する大さじ分計量室１１を設け、且つ該大さじ分計量室１１の上方に大さじ分の粒状調味料９を排出する排出路１２を連通し、更に前記他方側の区画板８と径小な湾曲壁板３とにより区画された下方部に、小さじ１杯分の粒状調味料９を収納する小さじ分計量室１３を設け、且つ該小さじ分計量室１３の上方に小さじ分の粒状調味料９を排出する排出路１４を連通して形成されている。
【００１０】
前記大さじ分計量室１１と小さじ分計量室１３の下端には、該径大な湾曲壁板２と径小な湾曲壁板３に接して底板１５・１６がそれぞれ形成されると共に、前記中央部の補充用収納室１０の底部には、中央部分が上方側へ緩やかに湾曲して湾曲部１７に形成され、且つ該湾曲部１７の両側端部１８ａ・１８ｂに、前記各計量室１１・１３の各底板１５・１６の内側端縁に連結する傾斜角度の大きな傾斜部１９・２０を連設して補充用収納室底板２１が形成されている。
【００１１】
更に、前記各区画板７・８は、その下端縁７ａ・８ａを前記湾曲部１７の両側端部１８ａ・１８ｂよりやや下方位置に臨ませて、前記各区画板７・８の下端縁７ａ・８ａと前記傾斜部１９・２０間に、それぞれ隙間２２・２３を有して配設できるよう、容器本体６の前・後壁板４・５の各対向内側壁面に、前記各区画板７・８の両側端縁を嵌挿して上下方向にスライドさせるガイド溝２４・２５を、前記湾曲部１７の両側端部１８ａ・１８ｂと略同一位置までそれぞれ凹設して形成されている。なお、前記各区画板７・８のうち、一方側の経大な湾曲壁板２側に面する区画板７は、図１に示すように、他方側の経小な湾曲壁板３側に面する区画板８に比べて、その巾はやや大きく形成されている。
【００１２】
また、前記各区画板７・８の下方部は、その巾を狭くした細巾片７ｂ・８ｂに形成され、且つ該各細巾片７ｂ・８ｂ上の両側に段部７ｃ・８ｃを備えると共に、前記各ガイド溝２４・２５の下端部に、前記各区画板７・８の段部７ｃ・８ｃが当接して、該各区画板７・８の下方移動を阻止する当接面２４ａ・２５ａを備えている。そして、前記各ガイド溝２４・２５に前記各区画板７・８の両側端縁を嵌挿して、下方向にスライドさせると、該各区画板７・８の各段部７ｃ・８ｃが前記各ガイド溝２４・２５の当接面２４ａ・２５ａに当接して、前記各区画板７・８の下方移動を停止し、該各区画板７・８は容器本体６に装着されると共に、前記各区画板７・８の下方部の細巾片７ｂ・８ｂ部分は、前記各傾斜部１９・２０のやや下方位置まで延設され、該各区画板７・８の下端縁７ａ・８ａと該各傾斜部１９・２０間の隙間２２・２３を狭くして、該隙間２２・２３の狭い部分における前記粒状調味料９の各粒状体間の接触圧力を大として、前記補充用収納室１０から前記大さじ分計量室１１と小さじ分計量室１３内に落下する粒状調味料９の落下速度を遅くするよう形成されている。
【００１３】
また、前記容器本体６の上部の開口部１の外周縁部には、断面逆凹状をしたキャップ２６が取外し自在に被冠固定されると共に、該キャップ２６の外周面に突設された取外し用突起２７に手を当てて、上方へ引き上げてキャップ２６を簡単に取外すことができるよう形成され、更に、前記キャップ２６には、前記大さじ分計量室１１または小さじ分計量室１３に収納された粒状調味料９を、料理中において排出する排出手段２８が設置されている。前記排出手段２８は、それぞれ大さじ分、または小さじ分の粒状調味料９を、容器本体６を傾斜させることにより、排出できるような構成であればよく、特に限定する必要はないが、好ましくは、図１、図４〜図６に示すような構成とすることが推奨される。
【００１４】
すなわち、図１、図４〜図６に示すように、排出手段２８は、前記大さじ分計量室１１上の排出路１２および小さじ分計量室１３上の排出路１４に臨むキャップ２６の上面両側部に、前記大さじ分計量室１１および小さじ分計量室１３に収納された粒状調味料９を振り出して排出する多数の排出小孔２９・３０を穿設した排出板３１・３２をそれぞれ設置すると共に、該各排出板３１・３２上には前記各排出小孔２９・３０に嵌挿して密閉する嵌挿突起３３・３４を備えた蓋片３５・３６を、ヒンジ開閉装置（図示せず）を用いて開閉自在に取付けて形成されている。なお、図中、３５ａ・３６ａは、蓋片３５・３６に突設され、該蓋片３５・３６を開放する際、手を当てて押し上げて開放する開放用突起である。
【００１５】
前記構成より成る本発明計量装置付き粒状調味料容器においては、前記大さじ分計量室１１および小さじ分計量室１３に収納された粒状調味料９は、前記各区画板７・８の下端縁７ａ・８ａと同一水平面より下方位置に収納される粒状調味料９の量が、前記大さじ分計量室１１および小さじ分計量室１３に収納される粒状調味料９となるよう、前記各底板１５・１６から前記各区画板７・８の下端縁部７ａ・８ａまでの高さを予め測定して、その位置を決定しておく必要がある。
【００１６】
前記構成より成る本発明計量装置付き粒状調味料容器の作用について説明する。先ず、容器本体６の上方の開口部１のキャップ２６を取外して、補充用収納室１０内に前記開口部１から所定量の粒状調味料９を投入して前記キャップ２６を容器本体６に被冠固定して、該容器本体６を台所等の台板上に静置すると、図４に示すように、前記補充用収納室１０内に投入された粒状調味料９は、上方へ緩やかに湾曲して湾曲部１７に形成された補充分収納室底板２１の湾曲面に沿って、前記各傾斜部１９・２０と前記各区画板７・８の各下端縁７ａ・８ａとの間の各隙間２２・２３から、下方の大さじ分計量室１１と小さじ分計量室１３内にそれぞれ落下して行く。そして、更に前記各収納室１１・１３内に落下して行った粒状調味料９の上端面部９ａが、前記各隙間２２・２３の各区画板７・８の各下端縁７ａ・８ａと面一となったときに、前記各隙間２２・２３部分における粒状調味料９の落下移動が停止し、これ以上の粒状調味料９の落下移動がなくなるため、前記大さじ分計量室１１および小さじ分計量室１３に所定量の粒状調味料９が収納される。
【００１７】
前記図４に示す状態においては、補充用収納室１０から前記大さじ分計量室１１および小さじ分計量室１３への粒状調味料９の落下は停止する。すなわち、前記各空隙２２・２３部分に位置する粒状調味料９は、各傾斜部１９・２０と各区画板７・８の各下端縁７ａ・８ａとの間の隙間２２・２３の狭い部分において、徐々に前記各計量室１１・１３内に落下している粒状調味料９が上昇して行って、前記隙間２２・２３まで達したときに、前記各区画板７・８に接して下方側への押圧力と、各傾斜面部１９・２０の傾斜面に接しての下方側への押圧力により、前記隙間２２・２３部分における粒状調味料９の各粒状体間の接触圧力は大となって互いに押圧されて、前記各隙間２２・２３部分における落下速度は徐々に遅くなり、遂には閉止状態となるので、粒状調味料９は更に下方の大さじ分計量室１１および小さじ分計量室１３へ落下することはない。
【００１８】
そして、前記所定量の粒状調味料９が大さじ分計量室１１および小さじ分計量室１３へ収納された後、使用者が料理品中に大さじ分の粒状調味料９を振り掛けて添加混入する場合、使用者は図５に示すように蓋片３５を開放して、容器本体６を持ち上げて傾斜させて、大さじ分計量室１１に収納されている大さじ分の粒状調味料９を、排出板３１の多数の排出小孔２９から料理品中に振り掛けて添加混入することができる。
【００１９】
また、前記所定量の粒状調味料９が大さじ分計量室１１および小さじ分計量室１３へ収納された後、使用者が料理品中に小さじ分の粒状調味料９を振り掛けて添加混入する場合、使用者は図６に示すように蓋片３６を開放して、容器本体６を持ち上げて傾斜させて、小さじ分計量室１３に収納されている小さじ分の粒状調味料９を、排出板３２の多数の排出小孔３０から料理品中に振り掛けて添加混入することができる。
【００２０】
そして、使用者が、前記所定量の粒状調味料９を料理品中に振り掛けて添加混入した後、開放していたいずれかの蓋片３５・３６を閉止して、容器本体６を台板等の上に静置すると、補充用収納室１０内の粒状調味料９が、例えば前記使用して空になった小さじ分計量室１３内と、前記容器本体６を傾斜したときに、大さじ分計量室１1から多少の粒状調味料９が補充用収納室１０内に逆流して、収納量が減った大さじ分計量室１１内とに落下して補充され、図４の状態となるのである。以下、同一の操作を繰返せばよいが、その間、適宜補充用収納室１０内に粒状調味料９を補充すればよい。なお、計量装置付き粒状調味料容器においては、前記容器本体６、各区画板７・８およびキャップ２６を取外して分解して、全体を洗浄することもできる。
【符号の説明】
【００２１】
１  開口部
２  経大な湾曲壁板
３  径小な湾曲壁板
４  ・５  前・後壁板
６  容器本体
７・８  区画板
７ａ・８ａ  区画板の下端縁
７ｂ・８ｂ  区画板の細巾片
７ｃ・８ｃ  区画板の段部
９  粒状調味料
１０  補充用収納室
１１  大さじ分計量室
１２  大さじ分粒状調味料の排出路
１３  小さじ分計量室
１４  小さじ分粒状調味料の排出路
１５・１６  底板
１７  湾曲部
１８ａ・１８ｂ  湾曲部の両側端部
１９・２０  傾斜角度の大きな傾斜部
２１  補充用収納室底板
２２・２３  隙間
２４・２５  ガイド溝
２４ａ・２５ａ  当接面
２６  キャップ
２７  取外し用突起
２８  排出手段
【図１】
0006579855.tif 000002
【図２】
0006579855.tif 000003
【図３】
0006579855.tif 000004
【図４】
0006579855.tif 000005
【図５】
0006579855.tif 000006
【図６】
0006579855.tif 000007